(57)【特許請求の範囲】
【請求項１】
切離し可能な切離し票および該切離し票の両端に位置する配達票と粘着片からなる伝票紙と、前記配達票および粘着片の下層に設けた粘着剤と、前記切離し票に疑似接着した非接触ＩＣ本体を有することを特徴とする非接触ＩＣ伝票。
【請求項２】
切離し可能な切離し票および該切離し票の両端に位置する配達票と粘着片からなる伝票紙と、前記配達票および粘着片の下層に設けた粘着剤と、前記切離し票の下層の全面あるいは一部に設けた再接着糊と、再接着糊で接着した非接触ＩＣ本体を有することを特徴とする非接触ＩＣ伝票。
【請求項３】
前記切離し票は、それぞれミシン目を介して前記配達票および粘着片より切離し可能に設けられ、被貼付物に貼付した際に被貼付物上に保持されることを特徴とする請求項１または２記載の非接触ＩＣ伝票。
【発明の詳細な説明】
【０００１】
【発明の属する技術分野】
本発明は、特に無線通信ＩＤ（Ｒａｄｉｏ  Ｆｒｅｑｕｅｎｃｙ  Ｉｄｅｎｔｉｆｉｃｔｉｏｎ；以下、ＲＦＩＤと称する）を有する非接触ＩＣ伝票に関する。
【０００２】
【従来の技術】
従来、宅配便などで使用される配送伝票は依頼主や届先住所などを記入する配達票と受取人控え票と受取人より受取り印をもらい宅配業者が持ち帰る受領票などを含む複数枚の伝票紙からなり、各伝票紙に同時複写されるように構成されている。また、各伝票紙には管理番号などを示すバーコードが印字されており、これにより入出庫管理や荷物仕分け作業が行われている。
しかしながら、このような配送伝票は伝票紙となる用紙が複数必要となるため非常にコスト高となっている。また、仕分け作業や配送過程で各伝票紙に印字されたバーコードの表面が汚れてしまいスキャナによるバーコード読取り時に読取り不良をおこすことが少なからず発生していた。そこでアンテナが接続されたＩＣチップを内蔵するＲＦＩＤ本体を搭載した非接触ＩＣ伝票が提案されており、上記管理番号などをＲＦＩＤ本体から得られるようなものが知られている（例えば特開２０００−１１２３５４号参照）。
【０００３】
【発明が解決しようとする課題】
ＲＦＩＤ本体はバーコードに比べ大量の情報を書込み記憶可能であり、かつＲＦＩＤ本体を覆う伝票の表面のバーコードが汚れてもＲＦＩＤ本体から情報が得られると共に、ＲＦＩＤリーダライタによって、記憶されている情報を消去できるという長所を有する反面、ＲＦＩＤ本体は高価であり、使い捨てとするとコストアップとなるためＲＦＩＤ伝票を回収してＲＦＩＤ本体を取り出し、記憶情報を消去してリサイクルされ新たなＲＦＩＤ伝票として使用されることが望まれている。
しかしながら、従来のＲＦＩＤ伝票はＲＦＩＤ本体が伝票紙から脱落しないように２枚の伝票紙でＲＦＩＤ本体を挟み込み伝票紙の四辺を接着しているため、リサイクル時におけるＲＦＩＤ本体の取り出し作業が困難なものとなり大変面倒であった。
更に、伝票を破って中身のＲＦＩＤ本体を取り出す際に、ＲＦＩＤ本体にも圧力が加わるためアンテナまたはＩＣチップの破損の恐れがあった。
本発明はこのような状況に鑑みてなされたものであり、伝票からのＲＦＩＤ本体の脱落を防止し、かつリサイクル時におけるＲＦＩＤ本体の取り出し作業を軽減し、ＲＦＩＤ本体のリサイクル使用を容易とした配送伝票を提供するものである。
【０００４】
【課題を解決するための手段】
請求項１記載の発明に係る非接触ＩＣ伝票は、任意の情報を表記可能かつ切離し可能な切離し票および該切離し票の両端に位置する配達票と粘着片からなる伝票紙と、前記配達票および粘着片の下層に設けた粘着剤と、前記切離し票に疑似接着した非接触ＩＣ本体を有することを特徴とする。
【０００５】
また、切離し可能な切離し票および該切離し票の両端に位置する配達票と粘着片からなる伝票紙と、前記配達票および粘着片の下層に設けた粘着剤と、前記切離し票の下層の全面あるいは一部に設けた再接着糊と、再接着糊で接着した非接触ＩＣ本体を有することを特徴とする。
【０００６】
また、前記切離し票は、それぞれミシン目を介して前記配達票および粘着片より切離し可能に設けられ、被貼付物に貼付した際に被貼付物上に保持されることを特徴とする。
【０００７】
【発明の実施の形態】
以下、図面を参照しながら本発明の第一の実施の形態について説明する。
図１に、本発明の第一の実施形態に係るＲＦＩＤ伝票の斜視図を示す。同図に示すようにＲＦＩＤ伝票１は、主に配達票３および受領票４、粘着片５を有する伝票紙２と、ＲＦＩＤ本体６と、台紙７からなる。
伝票紙２は、ミシン目８a、８bにより配達票３と受領票４、粘着片５の３つに区画されている。
【０００８】
配達票３は、届け先住所や氏名、依頼主および品名などを印字する記入欄９を有し、この記入欄９に感熱発色層（図示せず）を形成することによってプリンタでの印字を可能としている。
【０００９】
受領票４は、配達票３と同様の記入欄９を有し、プリンタでの印字を可能とし、さらに荷物受取サインもしくは捺印する捺印欄１０を設け、
配達票３と受領票４はミシン目８aにより区分けされている。
【００１０】
粘着片５は、ミシン目８bによって受領票６と区分けされており、後述する配達物１５へＲＦＩＤ伝票１を貼り付けた際に受領票６を保持する役目を果たしている。
【００１１】
ＲＦＩＤ本体６は、図４に示すようにアンテナ１１およびＩＣチップ１２からなりアンテナ１１を介してＲＦＩＤリーダライタ（図示せず）から電力の供給を受け、ＩＣチップ１２に任意の情報を書込みおよび消去や情報の読み出しなどを可能としている。
【００１２】
台紙７は、表面をシリコンなどによる剥離コーティングが施されておりＲＦＩＤ伝票１を粘着剤１３により仮着可能としている。
【００１３】
図２は、図１におけるＲＦＩＤ伝票１のＩＩ−ＩＩ線に沿う断面図であり、同図によりＲＦＩＤ伝票１の積層構造について説明する。同図に示すように配達票３と受領票４および粘着片５からなる伝票紙２は、最上層に位置し、配達票３および粘着片５の下層には粘着剤１３を有し、この粘着剤１３を介して台紙７に仮着し、受領票４の下層には疑似接着剤１４を介してＲＦＩＤ本体６を接着し、その下層に台紙７が位置している。ＲＦＩＤ本体６と台紙７の間には粘着剤１３が施されていないため受領票４、即ちミシン目８a、８b間に上層から形成された受領票４、疑似接着剤１４およびＲＦＩＤ本体６は台紙７に対して非接着状態とされている。なお、受領票４は、ミシン目８a、８bによって切離し可能とされ、疑似接着剤１４は一度剥離すると接着性を失うものである。
【００１４】
上記のように構成されたＲＦＩＤ伝票１の使用例として図３を参照しながら説明する。
配達物１５を管理する配送センターにおいて、ＲＦＩＤ伝票１の配達票３および受領票４の記入欄９に届先住所や氏名、依頼主および品名などの所定の情報をプリンタにより印字し、ＲＦＩＤリーダライタ（図示省略）により記入欄１０に印字されている届先住所や氏名、依頼主および品名などの所定の情報と配達物１５の管理に使用する管理番号などがＲＦＩＤ本体６に書き込まれる。このＲＦＩＤ伝票１の台紙７を剥離し、配達票３と粘着片５のそれぞれの下層に位置する粘着剤１３を露出させ、この粘着剤１３により配達物１５に貼り付ける。このとき受領票４は、裏面にＲＦＩＤ本体６を脱落防止のため疑似接着しており、配達物への貼付手段としての粘着剤１３を有していないため、受領票両端に位置する配達票３と粘着片５のミシン目８a、８bによって配達物１５上に保持されている。
【００１５】
配達物１５は、コンベアにより搬送され、コンベアに取り付けられているＲＦＩＤ読取り機によってＲＦＩＤ本体６に記憶されている配達物１５の届先に関する情報を読取り、これに基づいて配達物１５は配達区域毎に仕分けされる。この時、ＲＦＩＤ本体６記憶されている管理番号を含む所定の情報を上記ＲＦＩＤ読取り機に接続されているホストコンピュータに顧客管理データとして記憶する。
【００１６】
配達員は、配達物１５を配達トラックに積み込み、配達ルートに従って各地に配達され、受取人に手渡される。このとき配達員は受領票４の捺印欄１０にサインもしくは捺印を受取人よりもらい、図３に示すように受領票４をＲＦＩＤ本体６と共にミシン目８a、８bより切り取る。このときＲＦＩＤ３と受領票６は、疑似接着剤９により接着されているため、接着状態のまま一体となって切り取られる。上述したように切り取った受領票４とＲＦＩＤ本体６は粘着剤１３を有していないため複数枚を重ねて束にし、受領票収納袋などに入れて配送センターへ持ち帰ることができる。
【００１７】
ＲＦＩＤ伝票１から切り取られた受領票４とＲＦＩＤ本体６は、配送員が配送センターに持ち帰りホストコンピュータに接続されたＲＦＩＤ読取り機によりＲＦＩＤ本体６のＩＣチップ１２に記憶されている管理番号を読み出し、ホストコンピュータにデータを送信する。あらかじめ配送前にＲＦＩＤ本体６に記憶されている管理番号を含む情報をホストコンピュータに記憶した顧客管理データと配送後に持ち帰ったＲＦＩＤ本体６に記憶されている情報を読取ったデータを比較照合し、データ一致したものを配送完了としてホストコンピュータに記憶し、顧客管理を行う。
【００１８】
その後、図４に示すように受領票４とＲＦＩＤ本体６を分離し、ＲＦＩＤリーダライタによってＲＦＩＤ本体６に記憶された所定の情報を消去する。消去されたＲＦＩＤ本体６は再度ＲＦＩＤリーダライタにより新しい情報を書込み新規のＲＦＩＤ伝票としての受領票裏面に疑似接着剤１４により接着し、リサイクルされる。
【００１９】
また、分離された受領票４は配達物受取りの証拠として一定期間保管される。受領票４裏面は、一度剥離すると接着性を失う疑似接着剤１４としているため、回収した複数枚の受領票４を重ねて保管できる。また、疑似接着剤１４としたことにより受領票４とＲＦＩＤ本体６の分離作業は、さほど力を必要としないため、ＲＦＩＤ本体６に圧力がかかることが軽減されＲＦＩＤ本体６のアンテナ１１またはＩＣチップ１２を破損する恐れがない。また、疑似接着剤１４は分離時に受領票４側に付いて剥がされるようになっているため、分離後のＲＦＩＤ本体６の表面には疑似接着剤１４が残らずきれいな状態で即座にリサイクル製品として加工可能である。
【００２０】
次に、図５および図６を参照しながら本発明の第二の実施の形態について説明する。尚、第一の実施の形態と同一部分には同一符号を付し、説明を省略する。図５は、第二の実施の形態にかかるＲＦＩＤ伝票２１の断面図であり、同図に示すように配達票３と受領票４および粘着片５からなる伝票紙２は最上層に位置し、配達票３および粘着片５の下層は粘着剤１３を介して台紙７に仮着し、受領票４の下層には再接着糊２２を介してＲＦＩＤ本体６を接着し、その下層に台紙７が位置している。尚、再接着糊２２は、一度剥離しても粘着性を失わずに再接着を可能としている。
【００２１】
上記のように構成されたＲＦＩＤ伝票２１の使用方法は、上記第一の実施の形態で説明したＲＦＩＤ伝票１の使用方法と同一であり、第一の実施の形態と異なる構成である再接着糊２２を下層に有した受領票４についてのみ説明する。
ＲＦＩＤ伝票２１が貼付された配達物は、配達員により配達され、受取人に手渡される。このとき配達員は受領票４の捺印欄１０にサインもしくは捺印を受取人よりもらい、受領票４をＲＦＩＤ本体６と共にミシン目８a、８bより切り取る。このときＲＦＩＤ本体６は受領票４と再接着糊２２により接着されているため受領票４とＲＦＩＤ本体６は、接着状態のまま一体となって切り取られる。
【００２２】
ＲＦＩＤ伝票２１から切り取られた受領票４とＲＦＩＤ本体６は、配送員が配送センターに持ち帰りホストコンピュータに接続されたＲＦＩＤリーダライタによりＲＦＩＤ本体６のＩＣチップ１２に記憶されている管理番号を読み出し、ホストコンピュータにデータを送信する。あらかじめ配送前にＲＦＩＤ本体６に記憶されている管理番号を含む情報をホストコンピュータに顧客管理データとして記憶したデータと配送後に持ち帰ったＲＦＩＤ本体６に記憶されている情報を読取ったデータを比較照合し、データ一致したものを配送完了としてホストコンピュータに記憶し、顧客管理を行う。
【００２３】
その後、受領票４とＲＦＩＤ本体６を分離すると、ＲＦＩＤ本体６をＲＦＩＤリーダライタによってＲＦＩＤ本体６に記憶された所定の情報を消去する。消去されたＲＦＩＤ本体６は再度ＲＦＩＤリーダライタにより情報を書込み新しいＲＦＩＤ伝票２１の受領票４の裏面の再接着糊２２により接着され、リサイクルされる。また、分離された受領票４は配達物受取りの証拠として一定期間保管される。受領票４裏面は、一度剥離しても粘着性を失わずに再接着を可能としているため、回収した複数枚の受領票４を重ねて後述する受領票貼付台紙２３に貼付け、保管できる。また、受領票４とＲＦＩＤ本体６の分離作業には、さほど力を必要としないためＲＦＩＤ本体６に圧力をかける事がなくＲＦＩＤ本体６のアンテナ１１またはＩＣチップ１２を破損する恐れがない。
【００２４】
なお、第二の実施の形態において受領票４とＲＦＩＤ本体６を接着する手段として再接着糊２２を受領票４の裏面全面に形成した例について説明したが、図６に示す第二の実施の形態の変形例ように再接着糊２２を部分的に形成してもよい。受領票４の裏面端部に再接着糊２２を形成することによって、回収後、図７に示すように受領票貼付台紙２３に受領票４を貼付け保管できる。
【００２５】
【発明の効果】
以上のように、切離し票と非接触ＩＣ本体とを疑似接着し非接触ＩＣ伝票としたので、非接触ＩＣ伝票を貼り付けた配達物の配達時において非接触ＩＣ本体の脱落を防止し、かつ非接触ＩＣ本体のリサイクル使用時に伝票紙から容易に非接触ＩＣを分離可能である。また、切離し票と非接触ＩＣ本体とを再接着糊により接着することにより受領票貼付台紙に複数重ねて貼着でき、伝票紙の管理が容易なものとなる。また、受領票の裏面に非接触ＩＣ本体を積層したので受領票と非接触ＩＣ本体とを同時に回収できる。また、切離し票両端に位置する配達票と粘着片の粘着剤層により伝票紙を被着体に貼り付けることにより、切離し票の裏面に接着した非接触ＩＣ本体裏面に粘着剤を形成する必要がなくなるため、剥がしやすく、きれいなままの非接触ＩＣ本体として即座にリサイクル品として使用可能となる。
【図面の簡単な説明】
【図１】本発明の第一の実施の形態に係るＲＦＩＤ伝票の斜視図
【図２】図１のＩＩ−ＩＩ切断面における断面図
【図３】同、ＲＦＩＤ伝票における使用例を示す概要斜視図
【図４】同、ＲＦＩＤ伝票の受領票とＲＦＩＤを示す斜視図
【図５】本発明の第二の実施の形態に係るＲＦＩＤ伝票の断面図
【図６】本発明の第二の実施の形態に係る変形例のＲＦＩＤ伝票の断面図
【図７】本発明の第二の実施の形態に係る変形例の受領票の保管状態を示す概要斜視図
【符号の説明】
１、ＲＦＩＤ伝票
２、伝票紙
３、配達票
４、受領票（切離し票）
５、粘着片
６、ＲＦＩＤ本体（非接触ＩＣ本体）
７、台紙
８a、８b  ミシン目
９、  記入欄
１０、  捺印欄
１１、  アンテナ
１２、  ＩＣチップ
１３、  粘着剤
１４、  疑似接着剤
１５、  配達物
２１、  ＲＦＩＤ伝票
２２、  再接着糊
２３、  受領票粘着台紙
【図１】
0003874252.tif 000002
【図２】
0003874252.tif 000003
【図３】
0003874252.tif 000004
【図４】
0003874252.tif 000005
【図５】
0003874252.tif 000006
【図６】
0003874252.tif 000007
【図７】
0003874252.tif 000008